(57)【要約】【課題】撮影光路内に配置された可動ミラーが、駆動される際に破損するおそれのない可動反射ミラーおよびカメラを提供する。【解決手段】半透過の反射膜が施されたハーフミラー４０１と、このハーフミラー４０１の一方の面上に設けられる制振性を有する膜状の制振膜４０２と、この制振膜４０２が設けられた反射ミラーを保持する移動可能なミラー枠４０３を具備し、ミラー枠４０３は、撮影光路に対して進退可能である。撮影光路に進入または退避する際に発生する振動は制振膜４０２によって吸収され、ミラー駆動時の破損を防止する。【選択図】  図３
2008022302.tif 000002
【特許請求の範囲】
【請求項１】
半透過の反射膜が施された反射ミラーと、
この反射ミラーの一方の面上に設けられる制振性を有する膜状の制振部材と、
この制振部材が設けられた反射ミラーを保持する移動可能なミラー枠と、
を具備することを特徴とする可動反射ミラー装置。
【請求項２】
制振性を有する膜状の制振材料が一方の面上に設けられ、半透過の反射膜が施された反射ミラーと、
この反射ミラーを保持する移動可能なミラー枠と、
を具備することを特徴とする可動反射ミラー装置。
【請求項３】
少なくとも一面に、制振性を有する膜状の制振部材、もしくは制振性を有する膜状の制振材料が設けられた反射ミラーと、
この反射ミラーを保持する移動可能なミラー枠と、
このミラー枠を駆動する駆動手段と、
を具備することを特徴とする可動反射ミラー装置。
【請求項４】
上記反射ミラーは、一部を反射し、残りを透過するハーフミラーであることを特徴とする請求項３に記載の可動反射ミラー装置。
【請求項５】
上記反射ミラーは、全反射ミラーであることを特徴とする請求項３に記載の可動反射ミラー装置。
【請求項６】
上記制振部材は上記反射ミラーの上記一面に密着・固定されていることを特徴とする請求項３に記載の可動反射ミラー装置。
【請求項７】
上記制振材料は上記反射ミラーの上記一面に塗布されていることを特徴とする請求項３に記載の可動反射ミラー装置。
【請求項８】
上記駆動手段は、上記ミラー枠を撮影光路に対して進退可能に駆動することを特徴とする請求項３に記載の可動反射ミラー装置。
【請求項９】
入射光束の一部を反射し、残りを通過させるハーフミラーと、
このハーフミラーで反射された光束を受光する第１の受光センサと、
上記ハーフミラーを透過した光束を受光する第２の受光センサと、
を具備し、
上記ハーフミラーの少なくとも一面に制振膜が一体に設けられていることを特徴とするカメラ。
【請求項１０】
上記制振膜は、上記ハーフミラーの上記一面に密着・固定されていることを特徴とする請求項９に記載のカメラ。
【請求項１１】
上記制振膜は、上記ハーフミラーの上記一面に塗布されていることを特徴とする請求項９に記載のカメラ。
【請求項１２】
上記第１のセンサは測距センサであり、上記第２の受光センサは撮像素子であることを特徴とする請求項９に記載のカメラ。
【請求項１３】
上記撮像素子によって撮像されたデータに基づいて被写体像を表示する表示手段を具備していることを特徴とする請求項１２に記載のカメラ。
【請求項１４】
上記ハーフミラーは、撮影光路に対して進退可能であることを特徴とする請求項１４に記載のカメラ。
【発明の詳細な説明】
【技術分野】
【０００１】
本発明は、カメラ等で用いられる可動反射ミラー装置およびこれを備えたカメラに関する。
【背景技術】
【０００２】
従来のカメラ、例えば一眼レフカメラにおいては、被写体光束を画像記録用のフィルムや撮像素子に導く撮影光路と、被写体像観察用のファインダ光学系に導く光路に切り換えるために可動反射ミラーが設けられている。また、最近のデジタルカメラにおいては、スルー画表示機能（ライブビュー表示機能、電子ファインダ機能とも言う）を有し、被写体画像データの記録用に設けられている撮像素子の出力を液晶モニタ等の表示装置に被写体像の観察として表示可能なものがある。このようなスルー画表示機能を有するデジタルカメラとして、例えば、特許文献１には、可動ミラーをハーフミラーで構成し、撮影光学系を通過した被写体光束を撮像素子と位相差ＡＦセンサの両方に導くようにしたものがある（例えば、特許文献１参照）。
【特許文献１】特開２００２−６２０８号公報
【０００３】
このように、カメラにおいて被写体光束の光路を切り換えるために、可動反射ミラーが用いられている。一般に撮影時には可動反射ミラーを撮影光路から退避させる必要があるが、レリーズのタイムラグを短くするために可動反射ミラーの移動（回動）速度を上げる要求がある。この移動速度の高速化を図る方法として、例えば可動反射ミラーに複数の貫通孔を設け空気抵抗を小さくする方法（特許文献２参照）や、ペリクルミラーのようにミラーを軽量化する方法（特許文献３参照）等がある。
【特許文献２】特開２００２−３７２７４６号公報
【特許文献３】特開平８−２５４７５１号公報
【発明の開示】
【発明が解決しようとする課題】
【０００４】
可動反射ミラーの軽量化は、可動反射ミラーの駆動の高速化に有効な手段であるが、ガラス製の反射ミラーを薄くすればするほど、高速化を達成できるが、所定位置で停止する際に、駆動の際の運動エネルギによって可動ミラー自身を振動させ、このために反射ミラーが破損してしまうという虞がある。反射ミラー自身をハーフミラーにし固定してしまえば、この問題は解決されるが、撮影時に被写体光量が減少してしまうという問題がある。
【０００５】
本発明は、このような事情を鑑みてなされたものであり、撮影光路内に配置する可動ミラーが駆動される際に破損するおそれのない可動反射ミラーおよびカメラを提供することを目的とする。
【課題を解決するための手段】
【０００６】
上記目的を達成するため第１の発明に係わる可動反射ミラー装置は、半透過の反射膜が施された反射ミラーと、この反射ミラーの一方の面上に設けられる制振性を有する膜状の制振部材と、この制振部材が設けられた反射ミラーを保持する移動可能なミラー枠を具備する。
【０００７】
上記目的を達成するため第２の発明に係わる可動反射ミラー装置は、制振性を有する膜状の制振材料が一方の面上に設けられ、半透過の反射膜が施された反射ミラーと、この反射ミラーを保持する移動可能なミラー枠を具備する。
【０００８】
上記目的を達成するため第３の発明に係わる可動反射ミラー装置は、少なくとも一面に、制振性を有する膜状の制振部材、もしくは制振性を有する膜状の制振材料が設けられた反射ミラーと、この反射ミラーを保持する移動可能なミラー枠と、このミラー枠を駆動する駆動手段を具備する。
第４の発明に係わる可動反射ミラー装置は、上記第３の発明において、上記反射ミラーは、一部を反射し、残りを透過するハーフミラーである。
また、第５の発明に係わる可動反射ミラー装置は、上記第３の発明において、上記反射ミラーは、全反射ミラーである。
さらに、第６の発明に係わる可動反射ミラー装置は、上記第３の発明において、上記制振部材は上記反射ミラーの上記一面に密着・固定されている。
さらに、第７の発明に係わる可動反射ミラー装置は、上記第３の発明において、上記制振材料は上記反射ミラーの上記一面に塗布されている。
さらに、第８の発明に係わる可動反射ミラー装置は、上記第３の発明において、上記駆動手段は、上記ミラー枠を撮影光路に対して進退可能に駆動する。
【０００９】
上記目的を達成するため第９の発明に係わるカメラは、入射光束の一部を反射し、残りを通過させるハーフミラーと、このハーフミラーで反射された光束を受光する第１の受光センサと、上記ハーフミラーを透過した光束を受光する第２の受光センサを具備し、上記ハーフミラーの少なくとも一面に制振膜が一体に設けられている。
第１０の発明に係わるカメラは、上記第９の発明において、上記制振膜は、上記ハーフミラーの上記一面に密着・固定されている。
また、第１１の発明に係わるカメラは、上記第９の発明において、上記制振膜は、上記ハーフミラーの上記一面に塗布されている。
さらに、第１２発明に係わるカメラは、上記第９の発明において、上記第１のセンサは測距センサであり、上記第２の受光センサは撮像素子である。
さらに、第１３発明に係わるカメラは、上記第１２の発明において、上記撮像素子によって撮像されたデータに基づいて被写体像を表示する表示手段を具備する。
さらに、第１４発明に係わるカメラは、上記第９の発明において、上記ハーフミラーは、撮影光路に対して進退可能である。
【発明の効果】
【００１０】
本発明によれば、反射ミラーの一方の面上に設けられる制振性を有する膜状の制振部材を設け、または反射ミラーに制振性を有する膜状の制振材料が一方の面上に設けるようにしたので、撮影光路内に配置する可動ミラーが駆動される際に破損するおそれのない可動反射ミラーおよびカメラを提供することができる。
【発明を実施するための最良の形態】
【００１１】
以下、図面に従って本発明を適用したデジタルカメラを用いて好ましい一実施形態について説明する。図１は、本発明の実施形態に係るデジタルカメラの電気系を主とするブロック図である。レンズ鏡筒１０はカメラ本体２０の前面のマウント開口部（不図示）に着脱自在となっている。マウント開口部を介してレンズ鏡筒１０内のレンズ１０１ａ、１０１ｂ等からなる撮影レンズによる被写体光束がカメラ本体２０内に導かれる。本実施形態では、レンズ鏡筒１０とカメラ本体２０は別体で構成され、通信接点３００を介して電気的に接続されている。また、カメラ本体２０に設けた着脱検知スイッチ２５９によって着脱状態を検出可能となっている。なお、カメラ本体２０とレンズ鏡筒１０を一体に構成してもよく、その場合には、着脱検知スイッチ２５９は不要となる。
【００１２】
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１３】
カメラ本体２０内のミラーボックス内には、レンズ１０１ａ、１０１ｂを通過した光束の一部を透過する特性を有する可動の反射ミラー（便宜上、可動ハーフミラーという）２０１が配置されている。この可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた位置（図１において実線の位置）にあるときには、被写体光束の一部（例えば、３０％）が反射され、カメラ本体２０の底部に設けられた測距／測光センサ２１７に導かれる。また被写体光束の残り（例えば７０％）は、可動ハーフミラー２０１を透過してＣＣＤ（Charge Coupled Devices）２２１の方向に導かれる。そして、可動ハーフミラー２０１がレンズ１０１ａ、１０１ｂの光路と略平行で、被写体光束を遮らない退避位置（図１において二点鎖線の位置）にあるときには、被写体光束の全部がＣＣＤ２２１に導かれる。この可動ハーフミラー２０１の構造と駆動機構については、図２乃至図４を用いて後述する。
【００１４】
なお、本実施形態においては、可動ハーフミラー２０１の回動中心は、ミラーボックス内の下側であったが、これに限らず、上側でも良く、また左右のいずれかに紙面に対して平行な回動中心にしても勿論構わない。また、可動ハーフミラー２０１の回動中心は、ＣＣＤ２２１側に配置したが、これに限らず、マウント開口部側に配置しても勿論構わない。さらに、本実施形態においては、ハーフミラーの反射率と透過率はそれぞれ３０％と７０％であるが、この比率に限られず、適宜変更できる。
【００１５】
カメラ本体２０内のミラーボックスの底部であって、可動ハーフミラー２０１によって反射された光束が導かれる位置に測距／測光センサ２１７が配置されている。この測距／測光センサ２１７は測距用のセンサと測光センサから構成されており、測光センサは被写体像を分割して測光する多分割測光素子で構成されている。また、測距センサはＴＴＬ位相差法によって測距するためのセンサである。測距／測光センサ２１７の出力は測距／測光処理回路２１９に送られる。測距／測光処理回路２１９は、測光センサの出力に基づいて評価測光値を出力し、また測距センサの出力に基づいて、レンズ１０１、１０１ｂによって結像される被写体像の焦点ズレ量を測定する。なお、測距センサと測光センサは別体に構成しても、一体に構成しても良い。
【００１６】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００１７】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１８】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００１９】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部およびファインダ内液晶モニタ２９を省略することも可能である。
【００２０】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、測距／測光処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２１】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２２】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２３】
カメラ本体２０やレンズ鏡筒１０のパワー供給の制御を行うためのパワースイッチレバーに連動してオン・オフするパワースイッチ２５７と、シャッタレリーズ釦に連動するスイッチ、再生モードを指示する再生釦に連動するスイッチ、背面液晶モニタ２６の画面でカーソルの動きを指示する十字釦に連動するスイッチ、撮影モードを指示するモードダイヤルに連動するスイッチ、選択された各モード等を決定するＯＫ釦に連動するＯＫスイッチ、着脱検知スイッチ２５９等の各種スイッチ２５５は、スイッチ検出回路２５３を介してデータバス２６１に接続されている。なお、レリーズ釦は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ２２１の出力に基づいて被写体像の画像データの取り込みを行う撮影動作を実行する。
【００２４】
次に、図２を用いて、可動ハーフミラー２０１の構造と駆動手段・退避手段について説明する。図２（Ａ）は可動ハーフミラー２０１の反射状態における分解斜視図である。被写体光束の一部を透過し一部を反射するハーフミラー４０１はミラー枠４０３によって保持される。ハーフミラー４０１は非常に薄い板状ガラスに半透過の反射膜がコーティングされ、前述したように一部の光束を透過し、他の光束を反射する。この可動ハーフミラー２０１はハーフミラー４０１自身の振動を抑える制振機能を有しており、その構造と作用について、図２（Ｂ）乃至図４を用いて後述する。
【００２５】
ミラー枠４０３は孔４０３ａに介挿される軸４１１の回りに回動自在であり、図１の回動軸２０１ａは、軸４１１の中心軸となる。カメラ本体２０に固定されたピン４０９とミラー枠４０３に植設された駆動ピン４０５の間には開きバネ４０７の両端がそれぞれ係合しており、この開きバネ４０７のコイル部分は軸４１１に巻装されている。この開きバネ４０７のバネ力によって、ミラー枠４０３は図中反時計方向（矢印Ａ方向）に付勢力を受けている。駆動ピン４０５と係止レバー４１３の一端が係合しており、この係止レバー４１３の他端に植設されたカムピン４１５はミラー用カム４１７に係接している。
【００２６】
係止レバー４１３は回動中心が不図示のミラーボックスに軸支されており、駆動ピン４０５を介して開きバネ４０７のバネ力によって図中反時計方向（矢印Ｂ方向）に付勢力を受けている。よって、係止レバー４１３のカムピン４１５がミラー用カム４１７のカム面に圧接している。ミラー用カム４１７のカム面は回転中心からの半径方向の長さが変化するように形成されている。すなわち、カム面上の係止位置４１７ａでは回転中心からの距離が長くなるように形成され、係止解除位置４１７ｂでは係止位置４１７ａに比して回転中心からの距離が短くなるように形成されている。そして図中反時計回り方向に係止位置４１７ａから係止解除位置４１７ｂへと段差４１７ｃをもってカム面が形成され、係止解除位置４１７ｂから係止位置４１７ａへと滑らかに変位するようにカム面が形成される。
【００２７】
ミラー用カム４１７の係止位置４１７ａがカムピン４１５と当接する位置にあるとき、係止レバー４１３はミラー用カム４１７により矢印Ｂ方向の回動が規制されていることから、ミラー枠４０３を反射位置に保持する。この状態から、段差４１７ｃを経て係止解除位置４１７ｂがカムピン４１５と当接する位置へとミラー用カム４１７を図中時計回りに回動させると、係止レバー４１３の矢印Ｂ方向への回動が可能となる。よって開きバネ４０７の付勢力により、ミラー枠４０３が矢印Ａ方向へと回動して退避位置へと変位する。なお、ミラー用カム４１７は図示しないモータによって回転駆動される。
【００２８】
このように可動ハーフミラー２０１を撮影光路内の反射位置（図２中実線で示す位置）へと駆動させる駆動手段は、ミラー用カム４１７、係止レバー４１３などを含む。また可動ハーフミラー２０１を撮影光路外の退避位置（図１中二点鎖線で示す位置）へと駆動する退避手段は、開きバネ４０７を含んでいる。なお、駆動手段や退避手段は、このような構成に限らず、可動ハーフミラー２０１を駆動できれば他の構成でも良い。
【００２９】
このように可動ハーフミラー２０１は構成されているので、図示しないモータにより、カムピン４１５が係止解除位置４１７ｂに接する位置に駆動されたときには、ミラー枠４０３および係止レバー４１３が開きバネ４０７の付勢力によって、矢印Ｂ方向に回動し、ミラー枠４０３は、図中、二点鎖線のように退避位置となる。この状態で、モータによってミラー用カム４１７を回動させ係止位置４１７ａがカムピン４１５と接する位置になると、係止レバー４１３は時計方向（矢印Ｂ方向と逆方向）に回動され、開きバネ４０７の付勢力に抗して駆動ピン４０５を介しミラー枠４０３を時計方向（矢印Ａ方向と逆方向）に回動させ、図中、実線の如き反射位置に位置させる。
【００３０】
次に、図２（Ｂ）および図３を用いて、制振機能を有するハーフミラー４０１とその保持構造について説明する。図２（Ｂ）はハーフミラー４０１とその保持構造についてのＸＸ断面図であり、図３は可動ハーフミラー２０１の分解斜視図である。ハーフミラー４０１が嵌め込まれるミラー枠４０３は、図３に示すように、開口部４０３ｂの周囲にハーフミラー４０１を載置するための凸部４０３ｃが設けられている。そして、ハーフミラー４０１の片面側には制振膜４０２が密着・固定されている。この制振膜４０２は密着性のある薄膜で制振機能を有しており、例えばエクシールコーポレーション製のハイパーゲルやピットクッションシート等を用いることができる。
【００３１】
可動ハーフミラー２０１は、ハーフミラー４０１の片面側に制振膜４０２を密着させ、この状態でハーフミラー４０１の他面側をミラー枠４０３の開口部４０３ｂの周縁部に設けられた凸部４０３ｃに載置し、接着剤４０２によって、これらハーフミラー４０１、制振膜４０２およびミラー枠４０３を一体に固定する。このように可動ハーフミラー２０１は構成されているので、可動ハーフミラー２０１を駆動し所定位置で停止させる等によって衝撃が加わるときに発生する振動を吸収することができる。すなわち、制振膜４０２が設けられていない場合には、図４（Ａ）に示すように、ハーフミラー４０１に加えられた衝撃は、ハーフミラー４０１全体を振動させ、伸縮応力を内部に発生させる。しかし、制振膜４０２が設けられている場合には、ハーフミラー４０１に加えられた衝撃は、制振膜４０２によってその伸縮応力を吸収し、ハーフミラー４０１の振動を減衰させたり、もしくは必要以上の応力発生を抑えることになる。
【００３２】
このように、本実施形態の可動ハーフミラー２０１は、ハーフミラー４０１に制振膜４０２を設けることにより、可動ハーフミラー２０１の停止時等に発生する振動もしくは変位を極めて小さくすることができる。このため可動ハーフミラー２０１が振動・衝撃等によって破損するおそれが殆どなく、ハーフミラー４０１を充分薄くすることができる。また、振動が小さくなることから、ハーフミラー４０１の固定にあたって、従来より簡略化してもハーフミラー４０１が破損する虞が殆どない。
【００３３】
なお、本実施形態においては、制振膜４０２を密着しただけであったが、これに限らず、接着剤等によりハーフミラー４０１に対して固着しても勿論構わない。また、制振膜のような部材をハーフミラー４０１面に対して密着・固定するに限らず、制振作用のある材料をスピニング等により直接、ハーフミラー４０１上に塗布するようにしても勿論構わない。塗布することにより、０．１ｍｍ以下の薄膜を得ることができ、また均一性を高めることができる。さらに、本実施形態においては、制振膜４０２はハーフミラー４０１の片面に設けたが、勿論両面に設けるようにしても良い。
【００３４】
次に、本発明の一実施形態におけるデジタルカメラの動作について図５に示すフローチャートを用いて説明する。パワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。さらに、制振膜を自動車の貼り合わせガラスのように一対のガラス板で挟むようにしても良い。これにより光学的特性、具体的には光透過性の光直進性を劣化させることがなくなる。但し、この場合、一対のガラス板の厚みは互いに極端に異ならせることが望ましい。というのも、ガラスの撓みによる応力の発生はガラス表面が一番大きいからである。
【００３５】
ステップＳ１において、パワースイッチ２５７がオンであった場合には、ステップＳ２に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバーが操作され、パワーオンとなった場合に、レンズ離脱時と同様な処理をするためである。ステップＳ２において、着脱スイッチ２５９がオンであった場合には、ステップＳ５以下に進み、パワースイッチオンのための処理を行う。
【００３６】
ステップＳ５では、可動ハーフミラー２０１の復帰を行う。これは、パワースイッチ２５７がオフの状態では、可動ハーフミラー２０１は撮影光路から退避した位置にあるが（図１において二点鎖線の状態）、パワースイッチ２５７のオンに応じて、レンズ鏡筒１０からの被写体光束を測距／測光センサ２１７に導き、測光および測距を行うためである。可動ハーフミラー２０１が復帰する際に、すなわち退避位置から反射位置に駆動され停止する際に、可動ハーフミラー２０１に振動が加わるが、制振膜４０２が振動を吸収しハーフミラー４０１が振動することはない。
【００３７】
可動ハーフミラー２０１が復帰すると、可動ハーフミラー２０１によって反射された一部の被写体光束は測距／測光センサ２１７に導かれ、一方、可動ハーフミラー２０１を透過した一部の被写体光束はシャッタ２０３の方向に導かれる。次に、防塵フィルタ２０５における塵埃除去動作を行う（Ｓ７）。これは防塵フィルタ２０５に固着された圧電素子２０７に防塵フィルタ駆動回路２１１から駆動電圧を印加し、前述したように超音波によって塵埃等を除去する動作である。
【００３８】
続いて、シャッタ駆動回路２１３によってシャッタ２０３の開放動作を行う（Ｓ９）。これによって、可動ハーフミラー２０１を透過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３９】
次に、図示しないモードダイヤル等によって設定された撮影モードや、ＩＳＯ感度、マニュアル設定されたシャッタ速度や絞り値等の情報があればそれらの撮影条件の読み込みを行う（Ｓ１３）。そして、測距／測光センサ２１７によって被写体輝度を測光し、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００４０】
次に、ステップＳ１９に進み、再生モードか否かの判定を行う。この再生モードは、再生釦が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦の半押し等、他の手動操作がなされた場合には、再生動作を終了してステップＳ７に戻り、前述の動作を繰り返す。
【００４１】
ステップＳ１９に戻り、再生モードが設定されていなかった場合には、ステップＳ２１に進み、メニューモードが設定されているか否かを判定する。これは、メニュー釦が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４２】
ステップＳ２１に戻り、判定の結果、メニューモードが設定されていなかった場合には、ステップＳ２３に進み、レリーズ釦が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。この撮影動作のサブルーチンでは、スルー画表示と並行して、可動ハーフミラー２０１にて反射された被写体光束の一部に基づいて測光や測距を行うことができる。また、２Ｒがオンとなったときには、可動ハーフミラー２０１を退避させ、被写体光束の全てをＣＣＤ２２１上に導き、このＣＣＤ２２１の出力に基づく画像データを記録媒体２４５に記録する。撮影動作のサブルーチンが終了すると、ステップＳ７に戻り、前述のステップを繰り返す。
【００４３】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作を行う（Ｓ４７）。この後、可動ハーフミラー２０１の退避動作を行う（Ｓ４９）。退避動作は、前述したように、モータを駆動してミラー用カム４１７を回動させ、開きバネ４０７の付勢力によってミラー枠４０３を撮影光路から退避した位置に回動させることにより行う（図１の二点鎖線の位置）。可動ハーフミラー２０１が退避する際に、すなわち反射位置から退避位置に駆動され停止する際に、可動ハーフミラー２０１に振動が加わるが、可動ハーフミラー２０１の復帰時と同様に、制振膜４０２が振動を吸収しハーフミラー４０１が振動することはない。
【００４４】
可動ハーフミラー２０１の退避が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ５５に進み、可動ハーフミラー２０１を復帰させる。これは、前述したように、モータを駆動してミラー用カム４１７を回動させ、開きバネ４０７の付勢力に抗して、カム面によって係止レバー４１３を時計方向に回動させ、ミラー枠４０３をレンズ１０１ａ、１０１ｂの光路中に介挿させる。この際、可動ハーフミラー２０１に振動が加わるが、ステップ５と同様に、制振膜４０２が振動を吸収しハーフミラー４０１が振動することはない。可動ハーフミラー２０１の復帰が終わると、ステップＳ７に戻り、前述のステップを繰り返す。
【００４５】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバーの操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ９に進み、各種操作釦による操作に基づく動作を行う等の変形は可能である。
【００４６】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１の入射光束領域４０１aを透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。
【００４７】
ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。この後、前述のステップＳ４９と同様にして、可動ハーフミラー２０１の退避動作を行った後（Ｓ３０）、ステップＳ３に戻りスリープ状態となる。なお、可動ハーフミラー２０１が退避動作を行う際に、ステップＳ４９と同様に、制振膜４０２が振動を吸収しハーフミラー４０１が振動することはない。
【００４８】
次に、ステップＳ４３の撮影動作のサブルーチンについて図６を用いて説明する。このサブルーチンは前述したように、レリーズ釦２１の半押しがなされると実行される。まず、測距・自動焦点調節を行う（Ｓ７１）。これは、可動ハーフミラー２０１が撮影光路中に介挿され、被写体光束の一部が測距／測光センサ２１７に反射しているので、この被写体光束を用いて測距／測光処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００４９】
次に、測光／露光量演算を行う（Ｓ７３）。これも可動ハーフミラー２０１によって反射された被写体光束を測距／測光センサ２１７が受光し、測距／測光処理回路２１９によって処理することにより、被写体輝度ＢＶを検出する。ボディＣＰＵ２２９は、この被写体輝度ＢＶを用いて露光量ＥＶを求め、さらに撮影モード等に従ってシャッタ速度や絞り等の露出条件を求める。
【００５０】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ９に戻る。
【００５１】
ステップＳ７５に戻り、判定の結果、２Ｒスイッチがオンであった場合、すなわちレリーズ釦２１が全押しされた場合には、静止画像取得のための撮像動作に移る。まず、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。続いて、ステップＳ４９と同様にして可動ハーフミラー２０１の退避動作を行う（Ｓ８１）。可動ハーフミラー２０１が退避動作を行う際に、制振膜４０２が振動を吸収しハーフミラー４０１が振動することはないことは、ステップＳ４９と同様である。
【００５２】
続いて、設定絞り値またはＳ７３で演算された絞り値まで絞り１０３の絞込み動作を、レンズＣＰＵ１１１を介し絞り駆動機構１０９によって行う。絞込み動作が終わると、次にＣＣＤ２２１による露光動作を行う（Ｓ８５）。すなわち、可動ハーフミラー２０１は退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００５３】
続いて、シャッタ２０３の閉じ動作を行い、（Ｓ８７）、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、ステップＳ９９に進み、ステップＳ５と同様にして、可動ハーフミラー２０１の復帰動作を行う。この際、可動ハーフミラー２０１に振動が加わるが、制振膜４０２が振動を吸収し、ハーフミラー４０１が振動することはない。復帰動作が終わると、パワーオンリセットのルーチンに戻る。
【００５４】
このように本実施形態においては、ハーフミラー４０１上に制振膜４０２を設けたので、可動ハーフミラー２０１の駆動停止時に発生する振動もしくは大きな変位を抑えることができる。このため、可動ハーフミラー２０１の移動・回動に伴う衝撃によるハーフミラー４０１の破損を防止することができ、またハーフミラー４０１を従来より薄くすることができ、さらに、ハーフミラー４０１の固着のための構造を簡略化することが可能となる。
【００５５】
また、ハーフミラーとして用いられるガラス素材では屈折率と厚みの関係によって撮像素子で得られる画像の画質低下、ピントずれ、画像歪曲等の問題が発生する。しかし、本実施形態においては、ハーフミラー４０１の厚さを極めて薄くすることができるので、ハーフミラーが起因となる画像の劣化やピントズレ等を防止することができる。
【００５６】
また、本実施形態においては、スルー画表示可能なデジタルカメラにおいて、カメラの作動時に可動ハーフミラー２０１を撮影光路中に介挿し、被写体光束の一部を測距／測光センサ２１７に反射させているので、スルー画表示中にレリーズ釦が半押しされ、１Ｒがオンとなったとき、直ちに測光や測距をスルー画表示と並行して行うことができ便利である。
【００５７】
なお、本実施形態においては、可動反射ミラーとして、可動ハーフミラー２０１を採用していたが、これに限らず、被写体光を略１００％反射する反射ミラーに本発明を適用できることは勿論である。
【００５８】
また、本実施形態においては、撮像素子としてのＣＣＤ２２１は可動ハーフミラー２０１の通過光を受光し、測距／測光センサ２１７は可動ハーフミラー２０１の反射光を受光していたが、これとは逆にＣＣＤ２２１は反射光を、測距／測光センサ２１７は透過光を受光するように構成しても良い。
【００５９】
本実施形態においては、本発明を一般的なデジタルカメラに適用したものであったが、これに限らず、可動反射ミラーを有するものであれば、携帯等の各種装置内の撮影装置でもよく、またベローズ、エクステンションチューブ等を装着するものでも良く、さらに顕微鏡、双眼鏡等の各種装置に取り付けられる専用カメラにも適用できることは勿論である。
【図面の簡単な説明】
【００６０】
【図１】本発明を適用した一実施形態におけるデジタルカメラの電気系の全体構成を示すブロック図である。
【図２】本発明の一実施形態における可動ハーフミラーを示す図であり、（Ａ）は可動ハーフミラーの部品構成を示す分解斜視図であり、（Ｂ）は可動ハーフミラーの断面図である。
【図３】本発明の一実施形態における可動ハーフミラーの部品構成を示す分解斜視図である。
【図４】本発明の一実施形態における制振膜の作用を説明する図であり、（Ａ）は制振膜が設けられていない場合、（Ｂ）は制振膜が設けられている場合の振動状況を示す図である。
【図５】本発明の一実施形態におけるパワーオンリセットの動作を示すフローチャートである。
【図６】本発明の一実施形態における撮影動作のフローチャートである。
【符号の説明】
【００６１】
１０  レンズ鏡筒
２０  カメラ本体
２６  背面液晶モニタ
２９  ファインダ内液晶モニタ
１０１ａ、１０１ｂ  レンズ
１０３  絞り
１１１  レンズＣＰＵ
２０１  可動ハーフミラー
２０３  シャッタ
２０５  防塵フィルタ
２０７  圧電素子
２１５  可動ミラー駆動機構
２１７  測距／測光センサ
２１９  測距／測光処理回路
２２１  ＣＣＤ
２２７  画像処理回路
２２９  ボディＣＰＵ
２５３  スイッチ検出回路
２５５  各種スイッチ
２５７  パワースイッチ
２５９  着脱検知スイッチ
４０１ ハーフミラー
４０２  制振膜
４０３  ミラー枠
４０４  接着剤
【図２】
2008022302.tif 000003
【図３】
2008022302.tif 000004
【図４】
2008022302.tif 000005
【図１】
2008022302.tif 000006
【図５】
2008022302.tif 000007
【図６】
2008022302.tif 000008